(57)【要約】【課題】ログ対象となる形成画像に含まれる文字の大きさに応じた縮小率で縮小された画像を画像ログとして記録できる画像ログ記録システムを提供する。【解決手段】ユーザ端末２は、画像形成装置３による画像形成の対象となる対象画像内における文字のサイズに関する情報を取得し、取得した文字のサイズに関する情報と、画像形成装置３により記録媒体上に形成される際の対象画像のサイズに関する情報と、に基づいて、記録媒体上に形成される形成文字のサイズを算出し、画像ログ記録装置１は、画像形成装置３によって記録媒体上に形成された、対象画像を含む形成画像のデータと、算出された形成文字のサイズに関する情報と、を取得し、取得した形成文字のサイズに関する情報に基づいて決定した解像度により、形成画像のデータを縮小して記録する画像ログ記録システムである。【選択図】図１
2008123039.tif 000002
【特許請求の範囲】
【請求項１】
画像ログ記録装置と、ユーザ端末と、を含む画像ログ記録システムであって、
前記ユーザ端末は、
画像形成装置による画像形成の対象となる対象画像内における文字のサイズに関する情報を取得する文字サイズ情報取得手段と、
前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段と、
を含み、
前記画像ログ記録装置は、
前記画像形成装置によって記録媒体上に形成された、前記対象画像を含む形成画像のデータを取得する形成画像データ取得手段と、
前記算出された形成文字のサイズに関する情報を取得する形成文字サイズ取得手段と、
前記取得した形成文字のサイズに関する情報に基づいて決定した解像度により、前記取得した形成画像のデータを縮小して記録する画像データ記録手段と、
を含む
ことを特徴とする画像ログ記録システム。
【請求項２】
画像形成装置による画像形成の対象となる対象画像内における文字のサイズに関する情報を取得する文字サイズ情報取得手段と、
前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段と、
を含むことを特徴とするユーザ端末。
【請求項３】
請求項２に記載のユーザ端末において、
前記形成文字サイズ算出手段は、前記画像形成装置により記録媒体上に形成される際の前記対象画像のサイズに関する情報として、前記対象画像を記録媒体上に形成する際の拡大率又は縮小率の値を用いて、前記形成文字のサイズを算出する
ことを特徴とするユーザ端末。
【請求項４】
画像形成装置によって記録媒体上に形成された、画像形成の対象となる対象画像を含む形成画像のデータを取得する対象画像データ取得手段と、
前記対象画像内における文字のサイズに関する情報と、前記画像形成装置により記録媒体上に形成される際の前記対象画像のサイズに関する情報と、に基づいて算出された、前記記録媒体上に形成される形成文字のサイズに関する情報を取得する形成文字サイズ取得手段と、
前記取得した形成文字のサイズに関する情報に基づいて決定した解像度により、前記取得した形成画像のデータを縮小して記録する画像データ記録手段と、
を含む
ことを特徴とする画像ログ記録装置。
【請求項５】
画像形成装置による画像形成の対象となる対象画像内における文字のサイズに関する情報を取得する文字サイズ情報取得手段、及び
前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段、
としてコンピュータを機能させることを特徴とするプログラム。
【発明の詳細な説明】
【技術分野】
【０００１】
本発明は、画像ログ記録システム、画像ログ記録装置、ユーザ端末、及びプログラムに関する。
【背景技術】
【０００２】
従来、画像の入出力（例えば画像の印刷等）を行った際に、当該入出力がなされた画像のデータを、画像ログとして記録するシステムがある（例えば特許文献１参照）。このような画像ログ記録システムにおいては、記録すべき画像ログのデータ量が膨大になるため、一般的に、画像のデータを縮小して低解像度の縮小画像に変換し、この縮小画像を画像ログとして記録している。
【０００３】
この場合において、画像のデータを極端に低解像度の縮小画像に変換してしまうと、画像ログとして記録されている縮小画像を見ても、画像の内容がはっきり判別できなくなってしまうことがあり得る。特に文字を表す画像のログを記録する場合、縮小画像から何の文字か判別できないと、画像ログの価値が減少してしまう。そこで、縮小画像を生成する際の縮小率は、一般的に画像に含まれる文字が判別可能な比率に抑えられる。
【特許文献１】特開２００３−３３０６７７号公報
【発明の開示】
【発明が解決しようとする課題】
【０００４】
しかしながら、上記従来例の技術においても、ログの対象となる画像に非常に小さな文字が含まれている場合、縮小画像において当該文字を判別できなくなってしまうおそれがある。また、ログの対象となる元の画像に含まれる文字の大きさは十分大きな場合であっても、例えば複数のページを１枚の用紙に縮小印刷する場合など、実際に形成される形成画像中の文字が小さくなってしまう場合、やはり画像ログとして記録される縮小画像においては文字の判別ができなくなってしまうことがある。一方、このような小さな文字も判別可能な程度の縮小率で縮小画像を生成することにしてしまうと、画像ログのデータ量削減効果が小さくなってしまう。
【０００５】
本発明は上記実情に鑑みてなされたものであって、その目的の一つは、ログ対象となる形成画像に含まれる文字の大きさに応じた縮小率で縮小された画像を画像ログとして記録できる画像ログ記録システム、画像ログ記録装置、ユーザ端末及びプログラムを提供することにある。
【課題を解決するための手段】
【０００６】
上記課題を解決するための本発明に係る画像ログ記録システムは、画像ログ記録装置と、ユーザ端末と、を含む画像ログ記録システムであって、前記ユーザ端末は、画像形成装置による画像形成の対象となる対象画像内における文字のサイズに関する情報を取得する文字サイズ情報取得手段と、前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段と、を含み、前記画像ログ記録装置は、前記画像形成装置によって記録媒体上に形成された、前記対象画像を含む形成画像のデータを取得する形成画像データ取得手段と、前記算出された形成文字のサイズに関する情報を取得する形成文字サイズ取得手段と、前記取得した形成文字のサイズに関する情報に基づいて決定した解像度により、前記取得した形成画像のデータを縮小して記録する画像データ記録手段と、を含むことを特徴とする。
【０００７】
また、本発明に係るユーザ端末は、画像形成装置による画像形成の対象となる対象画像内における文字のサイズに関する情報を取得する文字サイズ情報取得手段と、前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段と、を含むことを特徴とする。
【０００８】
また、上記ユーザ端末において、前記形成文字サイズ算出手段は、前記画像形成装置により記録媒体上に形成される際の前記対象画像のサイズに関する情報として、前記対象画像を記録媒体上に形成する際の拡大率又は縮小率の値を用いて、前記形成文字のサイズを算出することとしてもよい。
【０００９】
また、本発明に係る画像ログ記録装置は、画像形成装置によって記録媒体上に形成された、画像形成の対象となる対象画像を含む形成画像のデータを取得する対象画像データ取得手段と、前記対象画像内における文字のサイズに関する情報と、前記画像形成装置により記録媒体上に形成される際の前記対象画像のサイズに関する情報と、に基づいて算出された、前記記録媒体上に形成される形成文字のサイズに関する情報を取得する形成文字サイズ取得手段と、前記取得した形成文字のサイズに関する情報に基づいて決定した解像度により、前記取得した形成画像のデータを縮小して記録する画像データ記録手段と、を含むことを特徴とする。
【００１０】
また、本発明に係るプログラムは、画像形成装置による画像形成の対象となる対象画像内における文字のサイズに関する情報を取得する文字サイズ情報取得手段、及び前記取得した対象画像内における文字のサイズに関する情報と、前記画像形成装置により記録媒体上に形成される際の前記対象画像のサイズに関する情報と、に基づいて、前記記録媒体上に形成される形成文字のサイズを算出する形成文字サイズ算出手段、としてコンピュータを機能させることを特徴とする。
【発明を実施するための最良の形態】
【００１１】
以下、本発明の実施の形態について、図面を参照しながら説明する。本発明の一実施形態に係る画像ログ記録システムは、図１に示すように、画像ログ記録装置１と、ユーザ端末２と、を含んで構成されている。これらの装置は、互いに通信ネットワークを介して接続されている。また、本実施形態においては、この通信ネットワークに画像形成装置３も接続されていることとし、画像ログ記録装置１は、ユーザ端末２からの指示操作に基づいて画像形成装置３が記録媒体上に形成した画像を、画像ログとして記録することとする。
【００１２】
画像ログ記録装置１は、図１に示すように、制御部１１と、記憶部１２と、通信部１３と、を含んで構成されている。
【００１３】
制御部１１は、ＣＰＵ等であって、記憶部１２に格納されたプログラムにしたがって動作する。本実施形態においては、画像形成装置３が記録媒体上に形成した画像（形成画像）のデータを取得し、当該取得した形成画像を縮小して、画像ログとして記録する処理を行う。本実施形態において制御部１１が実行する処理の例については、後述する。
【００１４】
記憶部１２は、ＲＡＭやＲＯＭ等のメモリ素子と、ハードディスクドライブ等のディスクデバイスと、の少なくとも一方を含んで構成されている。記憶部１２は、本実施形態において制御部１１が実行するプログラムを格納している。また、制御部１１のワークメモリとしても動作する。
【００１５】
通信部１３は、例えばＬＡＮボード等のネットワークインタフェースであって、制御部１１の制御にしたがって各種のデータを通信ネットワークに送信する。また、通信ネットワークを介して到来するデータを受信し、制御部１１に対して出力する。
【００１６】
ユーザ端末２は、例えばパーソナルコンピュータ等の情報処理装置であって、図１に示すように、制御部２１と、記憶部２２と、通信部２３と、操作部２４と、表示部２５と、を含んで構成されている。
【００１７】
制御部２１は、ＣＰＵ等であって、記憶部２２に格納されたプログラムにしたがって動作する。本実施形態においては、画像形成装置３に対して画像を形成する指示（画像形成指示）を行うとともに、当該画像形成指示の対象となった対象画像に含まれる文字のサイズに関する情報に基づいて、形成文字のサイズに関する情報（形成文字サイズ情報）を生成する。本実施形態において制御部２１が実行する処理の例については、後述する。
【００１８】
記憶部２２は、ＲＡＭやＲＯＭ等のメモリ素子と、ハードディスクドライブ等のディスクデバイスと、の少なくとも一方を含んで構成されている。記憶部２２は、本実施形態において制御部２１が実行するプログラムを格納している。また、制御部２１のワークメモリとしても動作する。
【００１９】
通信部２３は、例えばＬＡＮボード等のネットワークインタフェースであって、制御部２１の制御にしたがって各種のデータを通信ネットワークに送信する。また、通信ネットワークを介して到来するデータを受信し、制御部２１に対して出力する。
【００２０】
操作部２４は、例えばキーボードやマウス等であり、ユーザの指示操作を受け付けて、当該指示操作の内容を制御部２１に出力する。表示部２５は、例えばディスプレイ等であり、制御部２１からの指示に従って、情報の表示を行う。
【００２１】
画像形成装置３は、例えばプリンタ、複写機等であって、ユーザ端末２から通信ネットワークを介して到来する画像形成指示に基づいて、対象画像を含んだ形成画像を紙などの記録媒体上に形成する。
【００２２】
以下、以上の構成からなる画像ログ記録システムが画像ログを記録する場合に、画像ログ記録装置１の制御部１１と、ユーザ端末２の制御部２１と、が実現する機能について、説明する。
【００２３】
まず、ユーザ端末２の制御部２１が実現する機能について説明する。ユーザ端末２は、図２に示すように、機能的にアプリケーション実行部３１と、ＧＤＩ（Graphic Device Interface）部３２と、プリンタドライバ部３３と、を含んで構成される。これらの機能は、制御部２１が記憶部２２に格納されたプログラムを実行することで実現できる。このプログラムは、例えばインターネット等の通信ネットワークを介して提供されるものであってもよいし、例えばＣＤ‐ＲＯＭやＤＶＤ‐ＲＯＭ等のコンピュータで読み取り可能な各種情報記録媒体に格納されて提供されるものであってもよい。
【００２４】
アプリケーション実行部３１は、画像形成装置３による画像形成処理の対象となる対象画像を生成又は取得する処理を行う。このアプリケーション実行部３１は、対象画像に関する処理を行うための各種のアプリケーションプログラムを制御部２１が実行することで実現される。アプリケーション実行部３１は、ユーザの操作部２４に対する画像形成の指示操作に基づいて、画像形成装置３による画像形成の対象となる対象画像に関する情報を、ＧＤＩ部３２に対して所定の標準形式で出力する。
【００２５】
ＧＤＩ部３２は、アプリケーション実行部３１が出力した対象画像に関する情報を、画像形成の対象となるデバイス（ここでは画像形成装置３）に対する描画命令等を含んだ、所定のデータ形式に変換する。このＧＤＩ部３２は、例えばＷｉｎｄｏｗｓ（登録商標）などのオペレーティングシステムに標準搭載されたプログラムによって実現できる。ここで、ＧＤＩ部３２が出力する対象画像に関する情報には、対象画像に含まれる各文字のサイズに関する情報が含まれていることとする。
【００２６】
プリンタドライバ部３３は、制御部２１が記憶部２２に格納されたプリンタドライバプログラムを実行することにより実現される。本実施形態においては、プリンタドライバ部３３は、図３に示すように、機能的に画像文字サイズ取得部３３ａと、形成文字サイズ算出部３３ｂと、画像形成指示出力部３３ｃと、を含んで構成されている。
【００２７】
画像文字サイズ取得部３３ａは、ＧＤＩ部３２が出力する対象画像に関する情報に基づいて、対象画像内における各文字のサイズに関する情報（画像内文字サイズ情報）を取得する。具体例として、画像文字サイズ取得部３３ａは、ＧＤＩ部３２が情報を出力する対象画像ごとに、当該対象画像に含まれる文字のうち最小の文字のサイズを示す情報を、画像内文字サイズ情報として取得する。
【００２８】
形成文字サイズ算出部３３ｂは、画像文字サイズ取得部３３ａが取得した画像内文字サイズ情報と、画像形成装置３によって記録媒体上に形成される際の対象画像のサイズに関する情報（対象画像サイズ情報）と、に基づいて、画像形成装置３によって実際に記録媒体上に形成される形成文字のサイズＰ１を算出する。算出された形成文字サイズＰ１に関する情報（形成文字サイズ情報）は、後述する画像形成指示データとともに、画像形成装置３に対して通信ネットワークを介して送信される。
【００２９】
具体的に、例えば形成文字サイズ算出部３３ｂは、以下のようにして形成文字サイズＰ１を算出する。すなわち、まず対象画像サイズ情報として、対象画像を所定の倍率で拡大又は縮小して印刷する拡大／縮小印刷設定に関する情報や、複数の対象画像を１枚の記録媒体上に形成する割付印刷設定に関する情報、逆に１つの対象画像を拡大して複数の記録媒体上に分割して形成するポスター印刷設定に関する情報、対象画像を指定された用紙サイズに合わせて拡大／縮小して印刷する印刷設定に関する情報などの、各種の印刷設定情報を取得する。そして、当該印刷設定情報によって決定される対象画像を形成する際の拡大率又は縮小率の値に基づいて、例えば画像内文字サイズ情報により示される文字のサイズに当該拡大率又は縮小率の値を乗算することにより、形成文字サイズＰ１を算出する。なお、この印刷設定情報は、例えばユーザの操作部２４に対する指示操作や、記憶部２２に格納されている標準設定値に関する情報などに基づいて決定される。
【００３０】
画像形成指示出力部３３ｃは、ＧＤＩ部３２が出力する対象画像に関する情報に基づいて、画像形成装置３に対する画像形成指示データを生成し、通信ネットワークを介して画像形成装置３に対して出力する。ここで画像形成指示データは、例えばページ記述言語（ＰＤＬ）等によって記述された、画像形成装置３に対する制御情報である。この画像形成指示データに基づいて、画像形成装置３は対象画像を含んだ形成画像を紙などの記録媒体上に形成する。
【００３１】
ここで、プリンタドライバ部３３が、ＧＤＩ部３２が出力する情報に基づいて実行する処理の流れの一例について、図３のフロー図に基づいて説明する。このフロー図によって示される処理は、ＧＤＩ部３２から対象画像を出力する指示があるごとに実行される。すなわち、アプリケーション実行部３１が複数の対象画像を出力する指示を行った場合、当該複数の対象画像のそれぞれについて、以下に説明する処理が実行される。
【００３２】
まずプリンタドライバ部３３は、ＧＤＩ部３２からの指示に基づいて、所定のページ開始処理を実行する（Ｓ１）。さらにプリンタドライバ部３３は、画像内文字サイズ情報の初期化を行う（Ｓ２）。
【００３３】
その後、プリンタドライバ部３３は、ＧＤＩ部３２が出力する対象画像を描画する描画命令を取得し、取得した描画命令を画像形成装置３に応じたページ記述言語に翻訳する翻訳処理を行う（Ｓ３）。ここで、Ｓ３で処理対象となった描画命令が、文字を描画する描画命令であるか否かを判定する（Ｓ４）。文字を描画する描画命令であった場合、さらに当該描画対象となった文字の大きさとして指定された文字サイズが、画像内文字サイズ情報によって示される文字サイズより小さいか否かを判定する（Ｓ５）。Ｓ５の処理において、Ｓ３の描画命令によって指定された文字のサイズが画像内文字サイズ情報によって示される文字サイズより小さいと判定された場合、当該描画命令によって指定された文字のサイズにより、画像内文字サイズ情報を更新する（Ｓ６）。
【００３４】
さらにプリンタドライバ部３３は、ＧＤＩ部３２から対象画像の描画を終了する指示があったか否かを判定する（Ｓ７）。対象画像の描画が終了していなければ、Ｓ３に戻って次の描画命令に対する処理が実行される。このように、Ｓ３からＳ６までの処理が対象画像を描画する全ての描画命令に対して繰り返し実行されることによって、画像内文字サイズ情報は、対象画像内に含まれる最小の文字のサイズを示す情報に更新される。
【００３５】
対象画像の描画を終了する指示があった場合、プリンタドライバ部３３は、Ｓ６の更新処理によって最終的に得られた画像内文字サイズ情報と、対象画像サイズ情報とに基づいて、形成文字サイズＰ１を算出する（Ｓ８）。そして、Ｓ３の翻訳処理によって得られたページ記述言語による画像形成指示データと、Ｓ８で算出された形成文字サイズＰ１に関する情報と、を出力する出力処理を実行する（Ｓ９）。
【００３６】
なお、以上の説明においては、ユーザ端末２は機能的にＧＤＩ部３２を含むこととしたが、ユーザ端末２はＧＤＩ部３２を含んでいなくともよい。この場合、プリンタドライバ部３３は、アプリケーション実行部３１が出力する対象画像に関する情報に基づいて、直接、画像内文字サイズ情報を取得することとする。
【００３７】
画像形成装置３は、ユーザ端末２より受信した画像形成指示データに応じて、対象画像を含んだ形成画像を生成する。例えば複数の対象画像を１枚の記録媒体上に形成する画像形成指示データを受信した場合には、複数の対象画像を含んだ形成画像を生成する。そして、生成した形成画像を記録媒体上に形成する画像形成処理を行う。さらに画像形成装置３は、この形成画像のデータを、画像ログ記録装置１に対して送信する。この場合において、本実施形態においては、画像形成装置３は形成画像のデータとともにユーザ端末２から受信した形成文字サイズ情報についても、画像ログ記録装置１に対して送信することとする。
【００３８】
画像ログ記録装置１は、画像形成装置３から受信した情報に応じて、画像形成装置３による画像形成処理のログを記録する処理を実行する。以下、画像ログ記録装置１の制御部１１が実行する処理について、説明する。
【００３９】
本実施形態に係る画像ログ記録装置１は、図４に示すように、機能的に形成画像データ取得部４１と、形成文字サイズ取得部４２と、縮小画像データ記録部４３と、を含んで構成されている。
【００４０】
対象画像データ取得部４１は、画像形成装置３によって記録媒体上に形成された形成画像のデータを取得する。具体例として、対象画像データ取得部４１は、上述したように画像形成装置３が送信するデータを受信することで、形成画像のデータを取得する。
【００４１】
形成文字サイズ取得部４２は、ユーザ端末２が算出した形成文字サイズＰ１に関する情報を取得する。本実施形態においては、形成文字サイズ取得部４２は、画像形成装置３がユーザ端末２より受信し、画像ログ記録装置１に対して形成画像のデータとともに送信する形成文字サイズ情報を受信することによって、形成文字サイズＰ１の値を取得する。
【００４２】
縮小画像データ記録部４３は、形成文字サイズ取得部４２が取得した形成文字サイズ情報に基づいて決定した解像度により、形成画像データ取得部４１が取得した形成画像のデータを縮小して、画像ログとして記憶部１２に記録する。
【００４３】
具体例として、画像ログ記録装置１は、所定の目標解像度Ｄ０及び当該目標解像度Ｄ０の画像データにおいて判別可能な文字サイズとして予め決定された目標文字サイズＰ０の値を保持しているものとする。この場合において、例えば縮小画像データ記録部４３は、この目標解像度Ｄ０及び目標文字サイズＰ０の値と、形成文字サイズＰ１の値とに基づいて、形成画像を縮小する際の縮小画像の解像度（ログ解像度）Ｄ１を決定する。例えばログ解像度Ｄ１は、Ｐ１≧Ｐ０の場合には目標解像度Ｄ０に等しい値に決定され、Ｐ１＜Ｐ０の場合には計算式
Ｄ１＝Ｄ０×（Ｐ０／Ｐ１）
によって算出されることとしてもよい。これにより、形成文字サイズＰ１が所定の目標文字サイズＰ０より小さい場合には、画像ログとして記録される縮小画像データの解像度Ｄ１は、標準的な画像ログの解像度として定められた目標解像度Ｄ０より大きな値に決定される。こうすれば、画像ログとして記録される縮小画像データのサイズは、文字を判別可能な大きさに保たれる。
【００４４】
また、縮小画像データ記録部４３は、予め定められた対応テーブルに基づいて、形成文字サイズＰ１に対応づけられた解像度をログ解像度Ｄ１として決定してもよい。この場合、例えば画像ログ記録装置１は、所定の複数の文字サイズ範囲と、ログ解像度の候補と、を対応づけた対応テーブルを保持していることとする。この対応テーブルは、具体的には、例えば文字サイズ範囲Ｐt0未満にはログ解像度候補Ｄc0が、Ｐt0以上Ｐt1未満にはログ解像度候補Ｄc1が、Ｐt1以上にはログ解像度候補Ｄc2が、それぞれ対応づけられたテーブルである。このような対応テーブルを用いて、縮小画像データ記録部４３は、例えば形成文字サイズＰ１がＰt0以上Ｐt2未満の場合にはログ解像度Ｄ１の値をＤc1に決定する。こうすれば、いくつかのログ解像度候補の中から、形成画像に含まれる最小の文字を判別可能な解像度を、画像ログの解像度として選択できる。これによって、画像ログとして記録する縮小画像のサイズを、予め定められた段階的な値のいずれかに揃えることができる。
【００４５】
さらに縮小画像データ記録部４３は、このようにして決定したログ解像度Ｄ１により形成画像のデータを縮小して縮小画像を生成する。そして、生成した縮小画像を、画像形成装置３による画像形成処理のログ情報に含まれる画像ログとして、記憶部１２に格納する。
【００４６】
以上説明した本実施の形態によれば、画像ログ記録装置１は、対象画像内の文字のサイズに関する情報と、画像形成装置３によって記録媒体上に形成される際の対象画像のサイズに関する情報と、に基づいて算出された形成文字のサイズに関する情報に基づいて、形成画像のデータを縮小して、画像ログとして記録する。これにより、画像ログ記録装置１は、実際に記録媒体上に形成された文字のサイズに応じた解像度で、画像形成装置３によって形成された画像のログを記録することができる。
【００４７】
なお、本発明の実施の形態は、以上説明したものに限られない。例えば、上述した例においては、ユーザ端末２は画像形成指示データ及び形成文字サイズ情報を画像形成装置３に対して送信することとし、画像ログ記録装置１は画像形成装置３が送信するデータを受信することで形成画像のデータや形成文字サイズ情報を取得することとしている。しかし、このような例に限らず、例えばユーザ端末２が、直接、画像形成指示データや形成文字サイズ情報を画像ログ記録装置１に対して送信することとしてもよい。
【００４８】
また、画像ログ記録装置１は、画像形成装置３と一体に構成されることとしてもよい。この場合、画像ログ記録装置１は、ユーザ端末２から到来する画像形成指示データにしたがって画像形成処理を行うとともに、当該画像形成処理によって形成した形成画像のログを記録する。あるいは、画像ログ記録装置１は、ユーザ端末２と一体に構成されることとしてもよい。この場合、画像ログ記録装置１は、ユーザの指示操作に基づいて画像形成装置３に対して画像形成指示データを送信するとともに、当該送信した画像形成指示データに関する画像ログを記録する。
【図面の簡単な説明】
【００４９】
【図１】本発明の実施の形態に係る画像ログ記録システムの構成例を表すブロック図である。
【図２】本発明の実施の形態に係るユーザ端末の機能例を表す機能ブロック図である。
【図３】本発明の実施の形態に係るユーザ端末によって実行される処理の一例を示すフロー図である。
【図４】本発明の実施の形態に係る画像ログ記録装置の機能例を表す機能ブロック図である。
【符号の説明】
【００５０】
１  画像ログ記録装置、２  ユーザ端末、３  画像形成装置、１１，２１  制御部、１２，２２  記憶部、１３，２３  通信部、２４  操作部、２５  表示部、３１  アプリケーション実行部、３２  ＧＤＩ部、３３  プリンタドライバ部、４１  形成画像データ取得部、４２  形成文字サイズ取得部、４３  縮小画像データ記録部。
【図１】
2008123039.tif 000003
【図２】
2008123039.tif 000004
【図３】
2008123039.tif 000005
【図４】
2008123039.tif 000006